(57)【要約】【課題】機器本体にバッテリーユニットを取り付けた場合には、機器本体のＤＣ−ＩＮコネクタに対するＡＣアダプタによってＤＣ変換されたＤＣアダプタの接続を防止できるようにする。【解決手段】機器本体と、この機器本体に設けられ、ＡＣアダプタを接続させるための電源コネクタと、前記機器本体に着脱自在に取り付けられたバッテリーユニットと、このバッテリーユニット及び前記機器本体の何れか一方に設けられ、バッテリーユニットの取付時に、前記機器本体の前記電源コネクタを遮蔽する遮蔽部材とを具備する。【選択図】図４
2013054669.tif 000002
【特許請求の範囲】
【請求項１】
機器本体と、
この機器本体に設けられ、ＡＣアダプタによってＤＣ変換されたＤＣアダプタを接続させるための電源コネクタと、
前記機器本体に着脱自在に取り付けられたバッテリーユニットと、
このバッテリーユニット及び前記機器本体の何れか一方に設けられ、バッテリーユニットの取付時に、前記機器本体の前記電源コネクタを遮蔽する遮蔽部材と
を具備することを特徴とする電子機器。
【請求項２】
前記遮蔽部材は前記バッテリーユニットに一体的に形成され、前記機器本体に対する前記バッテリーユニットの取付動作に基づいて前記電源コネクタを遮蔽することを特徴とする請求項１記載の電子機器。
【請求項３】
前記遮蔽部材は前記バッテリーユニットに接続部材を介して接続され、前記機器本体に前記バッテリーユニットが取付けられたのち、前記電源コネクタを遮蔽することを特徴とする請求項１記載の電子機器。
【請求項４】
前記遮蔽部材は前記機器本体内に回動自在に設けられ、前記バッテリーユニットの取付動作に基づいて回動して前記電源コネクタを遮蔽することを特徴とする請求項１の電子機器。
【発明の詳細な説明】
【技術分野】
【０００１】
本発明の実施形態は、電子機器に関する。
【背景技術】
【０００２】
電子機器、例えばＰＯＳ端末をＡＣアダプタを用いて駆動する場合には、端末本体のＤＣ−ＩＮコネクタにＡＣアダプタによってＤＣ変換されたＤＣアダプタを接続させている。
【０００３】
また、ＰＯＳ端末には、オプションでバッテリーユニットを取り付けることができ、バッテリーでの駆動も可能となっている。このバッテリーユニットには充電用のＤＣ−ＩＮコネクタが設けられている。
【０００４】
しかしながら、従来においては、ＰＯＳ端末にバッテリーユニットが取り付けられた場合には、端末本体のＤＣ−ＩＮコネクタと、バッテリーユニットのＤＣ−ＩＮコネクタとがそれぞれ外部に露出した状態となっていた。
【０００５】
このため、バッテリーユニットが取り付けられた状態の端末本体のＤＣ−ＩＮコネクタに対し、ユーザが間違えてＡＣアダプタによってＤＣ変換されたＤＣアダプタを接続してしまうことがあった。このような場合には、端末本体内のＰＣ板が制御不能状態になってしまう問題があった。
【先行技術文献】
【特許文献】
【０００６】
【特許文献１】特開２０１０−４９４２９号公報
【発明の概要】
【発明が解決しようとする課題】
【０００７】
実施の形態が解決しようとする課題は、機器本体にバッテリーユニットを取り付けた場合には、機器本体のＤＣ−ＩＮコネクタに対するＤＣアダプタの接続を防止できるようにした電子機器を提供することにある。
【課題を解決するための手段】
【０００８】
上記課題を解決するため、実施の形態は、機器本体と、この機器本体に設けられ、ＤＣアダプタを接続させるためのＤＣ−ＩＮコネクタと、前記機器本体に着脱自在に取り付けられたバッテリーユニットと、このバッテリーユニット及び前記機器本体の何れか一方に設けられ、バッテリーユニットの取付時に、前記機器本体のＤＣ−ＩＮコネクタを遮蔽する遮蔽部材とを具備する。
【図面の簡単な説明】
【０００９】
【図１】一実施の形態であるＰＯＳ端末を示す外観斜視図。
【図２】図１のＰＯＳ端末をその底面側から示す斜視図。
【図３】図２のＰＯＳ端末にオプションで取り付けられるバッテリーユニットを示す斜視図。
【図４】図３のバッテリーユニットが図２のＰＳ端末の底面側に取り付けられた状態を示す斜視図。
【図５】バッテリーユニットに設けられる遮蔽部材の他の例を示す斜視図。
【図６】ＰＯＳ端末に設けられる遮蔽部材のさらに他の例を示す図。
【発明を実施するための形態】
【００１０】
以下、実施の形態について、図面を参照して説明する。
【００１１】
図１は、一実施の形態である電子機器としてのＰＯＳ端末を示す斜視図である。
【００１２】
このＰＯＳ端末は機器本体１を備え、この機器本体１の上面部は傾斜面となっており、この傾斜する上面部にタッチパネル式の表示部２が設けられている。
【００１３】
図２は、図１のＰＯＳ端末をその底面側から示す斜視図である。
【００１４】
即ち、ＰＯＳ端末の機器本体１の底面後部側には後述するバッテリーユニット３を電気的に接続させるためのコネクタ５が設けられている。また、機器本体１の背面側にはＡＣアダプタによってＤＣ変換されたＤＣアダプタ（図示しない）を接続させるための電源コネクタとしてのＤＣ−ＩＮコネクタ７が設けられている。
【００１５】
図３は、機器本体１の底面側に着脱自在に取り付けられるバッテリーユニット３を示す斜視図である。
【００１６】
バッテリーユニット３の前部側にはバッテリー９が搭載され、背面側には拡張ＣＯＭポート１０、及びバッテリー充電用のＤＣ−ＩＮコネクタ１１が配設されている。
【００１７】
ところで、バッテリーユニット３の背面側には、遮蔽部材としての遮蔽用突片１３が上方に向かって一体的に突設されている。この遮蔽用突片１３は後述するバッテリーユニット３の機器本体１への取付時に、機器本体１のＤＣ−ＩＮコネクタ７に対向し、これを遮蔽できるように突設されている。
【００１８】
図４は図３のバッテリーユニット３が図２の機器本体１の底面側に重ね合わされて取り付けられた状態を示す斜視図である。
【００１９】
このバッテリーユニット３の取付時には、機器本体１のコネクタ５にバッテリーユニット３が電気的に接続されるとともに、遮蔽用突片１３が機器本体１のＤＣ−ＩＮコネクタ７に対向されてＤＣ−ＩＮコネクタ７を外部から遮蔽することになる。
【００２０】
このように、この実施の形態によれば、バッテリーユニット３の取付時には、その遮蔽用突片１３により機器本体１のＤＣ−ＩＮコネクタ７を遮蔽するため、ユーザが誤って機器本体１のＤＣ−ＩＮコネクタ７にＡＣアダプタを接続してしまうことがない。従って、機器本体１内のＰＣ板が制御不能になることを確実に防止することができる。
【００２１】
また、バッテリーユニット３の取付動作だけで、機器本体１のＤＣ−ＩＮコネクタ７を遮蔽できるため、特別な遮蔽動作を別途必要とすることなく、手間取ることがない。
【００２２】
図５は、バッテリーユニット３に設けられる遮蔽部材の他の例を示す斜視図である。上記実施の形態では、遮蔽部材としての遮蔽用突片１３をバッテリーユニット３に一体的に設けたが、図５では、遮蔽部材１４を接続部材１５を介してバッテリーユニット３に接続している。
【００２３】
遮蔽部材１４は円盤状の頭部１４aと、この頭部１４aに突設されたピン体１４bとからなる。遮蔽部材１４は、バッテリーユニット３が機器本体１に取付けられたのち、頭部１４aのピン体１４bを機器本体１のＤＣ−ＩＮコネクタ７に差し込んで取り付けられ、ＤＣ−ＩＮコネクタ７を遮蔽する。
【００２４】
図６は、ＤＣ−ＩＮコネクタ７を遮蔽する遮蔽部材のさらに他の例を示すものである。
【００２５】
この遮蔽部材１８は扇状の回動部材で、機器本体１の背面側に設けられている。この遮蔽部材１８は支持軸１９を介して機器本体１に回動自在に設けられ、バネ材２０により時計方向に回動するように付勢されている。遮蔽部材１８はバネ材２０の付勢力により支持軸１９を中心にして時計方向に回動し、ＤＣ−ＩＮコネクタ７を外部に露出させている。
【００２６】
一方、バッテリーユニット３の背面側には上方に向かって突出する押圧片２１が突設され、バッテリーユニット３が機器本体１に取り付けられることにより、その押圧片２１により、機器本体１側の遮蔽部材１８を押圧する。これにより、遮蔽部材１８がバネ材２０の付勢力に抗して反時計方向に回動され、ＤＣ−ＩＮコネクタ７を遮蔽することになる。
【００２７】
なお、上記した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１…機器本体、７…ＤＣ−ＩＮコネクタ（電源コネクタ）、３…バッテリーユニット、１３，１４…遮蔽用突片（遮蔽部材）、１８…遮蔽部材。
【図１】
2013054669.tif 000003
【図２】
2013054669.tif 000004
【図３】
2013054669.tif 000005
【図４】
2013054669.tif 000006
【図５】
2013054669.tif 000007
【図６】
2013054669.tif 000008